(57)【要約】【課題】  トランスファ材と引き回し配線との接触による短絡を防止することができるとともに、シール材およびトランスファ材のはみ出しがなく外観の見栄えがよい液晶表示パネルの作製方法を提供する。【解決手段】  基板の周縁部にシール材４およびトランスファ材９を配設する際、前記トランスファ材９における前記シール材４との重複部９Ａの幅寸法が前記トランスファ材９における重複部９Ａ以外の部分の幅寸法よりも狭くなるように前記トランスファ材９を配設する。【選択図】      図２
2005128433.tif 000002
【特許請求の範囲】
【請求項１】
第１電極を有する基板と第２電極および電極端子を有する基板とを、前記第１電極と前記電極端子とを導通させるためのトランスファ材の配設下に、シール材により両基板の周縁部で、該トランスファ材の端縁部分が該シール材の端縁部分に重複するようにして貼り合わせる液晶表示パネルの作製方法において、
前記トランスファ材における前記シール材との重複部の幅寸法が前記トランスファ材における重複部以外の部分の幅寸法よりも狭くなるように前記トランスファ材を配設させることを特徴とする液晶表示パネルの作製方法。
【請求項２】
前記シール材の重複部および前記トランスファ材の重複部をともに、前記各重複部の基端部から先端部に向かって平面形状において先細る形状にする請求項１に記載の液晶表示パネルの作製方法。
【発明の詳細な説明】
【技術分野】
【０００１】
本発明は液晶表示パネルの作製方法に係り、特に、一方の基板に設けられた電極と他方の基板に設けられた電極端子とを導通させるためのトランスファ材を有する液晶表示パネルの作製方法に関する。
【背景技術】
【０００２】
従来より、中間に液晶を充填した一対の基板の所定の部分に選択的に電界を与えて、特定の図形や文字等の情報を表示するための液晶表示パネルが、携帯電話やパーソナルコンピュータ等の表示部として多く用いられている。
【０００３】
この液晶表示パネルのうち例えばＣＯＧ（Chip on Glass ）方式の液晶表示パネルは、一対の基板のうち反視認側の基板が視認側の基板と比較して平面形状において突出するように形成された突出部を有しており、両基板は基板の周縁部に配設されたシール材によって一体に貼り合わされている。両基板の相互に対向する面には各電極が設けられており、反視認側の基板に形成された第２電極は突出部まで延設されて電極端子とされている。また、視認側の基板に形成された第１電極は、両基板の間隙に配設されたトランスファ材を介して突出部に設けられた電極端子と導通可能とされている。
【０００４】
そして、各電極端子は突出部に搭載された液晶駆動用ＩＣチップの接続端子に接続されており、これにより、液晶駆動用ＩＣチップから所望の駆動信号が両基板に形成された各電極に入力されるようになっている。
【０００５】
ここで、従来の液晶表示パネルの作製方法においては、図３に示すように、トランスファ材の端縁部分がシール材の端縁部分と重なるようにされており、例えば前記シール材２１を、視認側の基板２５に配設し、前記トランスファ材２３をその両端縁部分がシール材２１の端縁部分に重複するように反視認側の基板２２に配設する。このシール材２１は、トランスファ材２３との重複部２１Ａの幅寸法がシール材２１における重複部２１Ａ以外の部分の幅寸法と同寸法となるように形成されており、また前記トランスファ材２３は、シール材２１との重複部２３Ａの幅寸法がトランスファ材２３における重複部２３Ａ以外の部分の幅寸法と同寸法となるように形成されている。
【０００６】
そして、視認側の基板２５と反視認側の基板２２とをシール材２１により貼り合わせて液晶表示パネルを作製するようになっている。
【０００７】
しかし、従来のトランスファ材配設工程におけるトランスファ材２３の端縁部分の形状によれば、両基板２２、２５の貼り合わせ工程において、図４に示すように視認側の基板２５と反視認側の基板２２を近接させた後、両基板２２、２５を貼り合わせて視認側の基板２５に形成された第１電極２４と反視認側の基板２２に形成された電極端子２７とをトランスファ材２３により接続させるとき、トランスファ材２３の重複部２３Ａがシール材２１の重複部２１Ａに押圧されることとなる。この結果、トランスファ材２３における重複部２３Ａは、図５に示すように、重複部２３Ａ以外のトランスファ材２３の側縁から突出するようにはみ出してしまうことがあった。
【０００８】
このような場合、例えば電極の配線密度が高くなり、トランスファ材２３の近傍において電極が引き回されている場合には、前記トランスファ材２３のはみ出した部分がこの電極の引き回し配線に接触して短絡してしまうおそれがあるという問題を有していた。
【０００９】
また、各重複部２１Ａ、２３Ａがシール材２１およびトランスファ材２３の側縁から突出してはみ出してしまうことは、液晶表示パネルの外観として見栄えの悪いものとなっていた。
【発明の開示】
【発明が解決しようとする課題】
【００１０】
本発明はこれらの点に鑑みてなされたものであり、トランスファ材と引き回し配線との接触による短絡を防止することができるとともに、シール材およびトランスファ材のはみ出しがなく見栄えがよい液晶表示パネルの作製方法を提供することを目的とする。
【課題を解決するための手段】
【００１１】
前記目的を達成するため、本発明に係る液晶表示パネルの作製方法の特徴は、第１電極を有する基板と第２電極および電極端子を有する基板とを、前記第１電極と前記電極端子とを導通させるためのトランスファ材の配設下に、シール材により両基板の周縁部で、該トランスファ材の端縁部分が該シール材の端縁部分に重複するようにして貼り合わせる液晶表示パネルの作製方法において、前記トランスファ材における前記シール材との重複部の幅寸法が前記トランスファ材における重複部以外の部分の幅寸法よりも狭くなるように前記トランスファ材を配設させる点にある。
【００１２】
さらに、前記シール材の重複部および前記トランスファ材の重複部をともに、前記各重複部の基端部から先端に向かって平面形状において先細る形状にするとよい。
【００１３】
この本発明に記載の液晶表示パネルの作製方法によれば、両透明基板が貼り合わせられることによりトランスファ材が押圧されても、トランスファ材の重複部がシール材およびトランスファ材の側縁から突出してはみ出してしまうことを防止することができる。
【発明の効果】
【００１４】
以上述べたように、本発明に係る液晶表示パネルの作製方法によれば、トランスファ材の重複部のはみ出しを確実に防止することができ、これにより、トランスファ材と電極の引き回し配線とが接触して短絡してしまうことを防止することができる。また、シール材およびトランスファ材のはみ出しがなく見栄えがよい液晶表示パネルを作製することができる。
【発明を実施するための最良の形態】
【００１５】
以下、本発明に係る液晶表示パネルの作製方法の実施形態を図１および図２を参照して説明する。ここで、本実施形態においては、ＣＯＧ方式の液晶表示パネルを作製する場合について説明するが、本発明は、ＣＯＧ方式の液晶表示パネルを作製する方法に限定されるものではない。
【００１６】
図１は、本実施形態に係る液晶表示パネルの作製方法による液晶表示パネルを示す模式的断面図、図２は図１の液晶表示パネルにおけるシール材およびトランスファ材の部分拡大平面図である。
【００１７】
図１および２に示すように、前記液晶表示パネル１はガラス等からなる一対の透明基板２ａ、２ｂを有し、両透明基板２ａ、２ｂのうち反視認側の透明基板２ｂは、視認側の透明基板２ａと比較して平面形状において突出する突出部３を有している。そして、両透明基板２ａ、２ｂは、視認側の透明基板２ａにおける周縁部に配設されたシール材４によって貼り合わされて一体に形成されている。
【００１８】
両透明基板２ａ、２ｂの相互に対向する面には、それぞれＩＴＯ（Indium Tin Oxide：インジウムスズ酸化物）等からなる電極が設けられており、反視認側の透明基板２ｂに設けられた第２電極６ｂは、突出部３近傍において引き回されながら突出部３に延設されて第１電極端子（図示せず）とされている。また、視認側の透明基板２ａに設けられた第１電極６ａは、基板端縁近傍まで延設されている。
【００１９】
突出部３には、視認側の透明基板２ａに設けられた第１電極６ａに対応するＩＴＯ等からなる第２電極端子７が設けられている。
【００２０】
そして、視認側の透明基板２ａに設けられた第１電極６ａの一端部および第２電極端子７の一端部は、それぞれ両透明基板２ａ、２ｂの間隙に配設された銀ペースト等の導電材料からなるトランスファ材９に接続されており、これにより、前記第１電極６ａと前記第２電極端子７とは、トランスファ材９を介して導通可能になっている。
【００２１】
そして、図２に示すように、シール材４の配設工程において、シール材４は視認側の透明基板２ａの周縁に配設され、またトランスファ材９の配設工程において、トランスファ材９は両端縁部分がシール材４の端縁部分と重複するように反視認側の透明基板２ｂに配設される。
【００２２】
このとき、前記シール材４はシール材４におけるトランスファ材９との重複部４Ａの基端部から先端部に向かって先細る形状とされ、さらに、前記トランスファ材９もトランスファ材９におけるシール材４との重複部９Ａの基端部から先端部に向かって先細る形状とされる。
【００２３】
そして、両透明基板２ａ、２ｂは、前記シール材４を介して一体に貼り合わされるようになっている。
【００２４】
そして、各電極６ａ、６ｂの相互に対向する面には、それぞれ配向処理が施される配向膜が設けられ、両透明基板２ａ、２ｂの間隙であってシール材４に囲まれた領域には液晶１１およびスペーサ（図示せず）が封入されている。
【００２５】
また、各第１電極端子および第２電極端子７は、突出部３に搭載される液晶駆動用ＩＣ１３の各接続端子１４と接続されるようになっており、これにより、液晶駆動用ＩＣ１３から所望の駆動信号が両透明基板２ａ、２ｂに形成された各電極６ａ、６ｂに入力されるようになっている。
【００２６】
次に、本発明に係る液晶表示パネル１の作製方法について説明する。
【００２７】
まず、両透明基板２ａ、２ｂのうち視認側の透明基板２ａにおける反視認側の透明基板２ｂと対向する面に第１電極６ａを設ける。
【００２８】
また、反視認側の透明基板２ｂにおける視認側の透明基板２ａと対向する面に第２電極６ｂを設けるとともに、突出部３に前記第２電極６ｂを延設させて第１電極端子を設ける。さらに、反視認側の透明基板２ｂの突出部３に、前記第１電極６ａに対応する第２電極端子７を設けた後、各電極６ａ、６ｂの表面に配向膜を設ける。
【００２９】
続いて、視認側の透明基板２ａにおける周縁部の所定の位置にシール材４を配設する。このとき、シール材４の端縁である重複部４Ａを基端部から先端部に向かって先細る形状とする。
【００３０】
さらに、反視認側の透明基板２ｂにおけるトランスファ材９の配設位置に、トランスファ材９の端縁がシール材４の端縁に重複するようにトランスファ材９を配設する。このとき、トランスファ材９の端縁である重複部９Ａを基端部から先端部に向かって先細る形状とする。
【００３１】
なお、シール材４の配設工程におけるシール材４の重複部４Ａの形状およびトランスファ材９の配設工程におけるトランスファ材９の各重複部９Ａの形状は、本実施形態の形状に限定されるものではなく、シール材４における重複部４Ａの幅寸法については、その重複部以外の部分の幅寸法よりも狭くなるように配設されていればよい。また、トランスファ材９における重複部９Ａの幅寸法については、その重複部以外の部分の幅寸法よりも狭くなるように配設されていればよい。
【００３２】
そして、両透明基板２ａ、２ｂをシール材４を介して一体に貼り合わせ、両透明基板２ａ、２ｂの間隙であってシール材４に囲まれた領域に液晶１１を封入することにより液晶表示パネル１を作製する。
【００３３】
また、液晶表示パネル１における反視認側の透明基板２ｂの突出部３に液晶駆動用ＩＣ１３を搭載し、液晶駆動用ＩＣ１３の接続端子１４と第１電極端子および第２電極端子とを異方性導電材等を用いて電気的に接続する。これにより、液晶駆動用ＩＣ１３からの駆動信号を第１電極端子を介して反視認側の透明基板２ｂの第２電極６ｂに出力するとともに、第２電極端子７およびトランスファ材９を介して視認側の透明基板２ａの第１電極６ａに出力することができる。
【００３４】
本実施形態によれば、シール材４は、シール材４におけるトランスファ材９との重複部４Ａの基端部から先端部に向かって先細る形状とされ、トランスファ材９も、トランスファ材９におけるシール材４との重複部９Ａの基端部から先端部に向かって先細る形状とされる。このため、両透明基板２ａ、２ｂを貼り合わせる際にトランスファ材９が押圧されても、トランスファ材９の重複部９Ａがシール材４およびトランスファ材９の側縁から突出してはみ出してしまうことを防止することができる。
【００３５】
したがって、トランスファ材９の重複部９Ａのはみ出しを確実に防止することができ、これにより、トランスファ材９と該トランスファ材９と非接続される電極または電極端子とが接触して短絡してしまうこと防止することができる。また、シール材４およびトランスファ材９のはみ出しがなく見栄えがよい液晶表示パネル１を作製することができる。
【００３６】
なお、本発明は前記実施形態に限定されるものではなく、必要に応じて種々変更することが可能である。
【図面の簡単な説明】
【００３７】
【図１】本発明に係る液晶表示パネルの作製方法による液晶表示パネルの一実施形態を示す模式的断面図
【図２】本発明に係る液晶表示パネルの作製方法によるシール材およびトランスファ材の配設形状を示す模式的平面図
【図３】従来の液晶表示パネルの作製方法によるシール材およびトランスファ材の配設形状を示す模式的平面図
【図４】図３のＡ−Ａ線における模式的断面図
【図５】図３の両基板を貼り合わせた場合のトランスファ材およびシール材のはみ出しを示す模式的平面図
【符号の説明】
【００３８】
１  液晶表示パネル
２ａ、２ｂ  透明基板
３  突出部
４  シール材
４Ａ  重複部
６ａ  第１電極
６ｂ  第２電極
７  第２電極端子
９  トランスファ材
９Ａ  重複部
１１  液晶
１３  液晶駆動用ＩＣ
１４  接続端子
【図１】
2005128433.tif 000003
【図２】
2005128433.tif 000004
【図３】
2005128433.tif 000005
【図４】
2005128433.tif 000006
【図５】
2005128433.tif 000007